(57)【要約】      （修正有）【課題】注射筒と注射針が螺合された注射器から、注射針を安全に取り外せる注射針取り外し容器を提供する。【解決手段】少なくとも螺合状態の注射針部が挿入される貫通孔２１３が一端側に配置され、保持部から取り外された前記注射針部を収容する箱状の収容部と、前記貫通孔２１３内の第１の部位２１３ｃに設けられ、前記貫通孔２１３に挿入された前記注射針部と接触して前記注射針部との相対的な回転によって前記螺合を開放する第１の螺合開放部２３０ａと、前記第１の部位２１３ｃとは異なる前記貫通孔２１３内の第２の部位２１３ｂに設けられ、前記注射針部との相対的な移動によって前記螺合を開放する第２の螺合開放部２３０ｂとを具備する注射針取り外し容器である。【選択図】図２Ａ
2020092984.tif 000002
【特許請求の範囲】
【請求項１】
注射用の針を有する注射針部と、当該注射針部と螺合する保持部とを備える注射器から前記注射針部を取り外す注射針取り外し容器において、
前記注射針取り外し容器が、
少なくとも前記螺合状態の前記注射針部が挿入される貫通孔が一端側に配置され、前記保持部から取り外された前記注射針部を収容する箱状の収容部と、
前記貫通孔内の第１の部位に設けられ、前記貫通孔に挿入された前記注射針部と接触して前記注射針部との相対的な回転によって前記螺合を開放する第１の螺合開放部と、
前記第１の部位とは異なる前記貫通孔内の第２の部位に設けられ、前記注射針部との相対的な移動によって前記螺合を開放する第２の螺合開放部と
を具備することを特徴とする注射針取り外し容器。
【請求項２】
前記第１の螺合開放部及び前記第２の螺合開放部は、複数の棒状部材群から構成され、前記棒状部材群は、前記貫通孔内において互いに所定の間隔をあけて並んで配置されることを特徴とする請求項１に記載の注射針取り外し容器。
【請求項３】
前記第１の部位及び前記第２の部位とは異なる前記貫通孔内の第３の部位に設けられ前記螺合開放中に生じる前記保持部と前記注射針部との隙間に挿入される少なくとも１つの爪部をさらに具備することを特徴とする請求項１または請求項２に記載の注射針取り外し容器。
【請求項４】
前記爪部が、前記注射針部又は前記保持部のどちらか一方を前記隙間が開く方向に押圧する押圧部を備えることを特徴とする請求項１ないし請求項３のいずれかに記載の注射針取り外し容器。
【請求項５】
前記貫通孔上に設けられ、該貫通孔に連通しかつ前記注射器が挿入される第２の貫通孔を有し、前記貫通孔に沿って進退する移動部をさらに具備することを特徴とする請求項１ないし請求項４のいずれかに記載の注射針取り外し容器。
【請求項６】
前記貫通孔と前記収容部とを一部仕切る仕切部をさらに具備することを特徴とする請求項１ないし請求項５のいずれかに記載の注射針取り外し容器。
【請求項７】
前記貫通孔の一部を塞ぐ蓋体をさらに具備することを特徴とする請求項１ないし請求項５のいずれかに記載の注射針取り外し容器。
【発明の詳細な説明】
【技術分野】
【０００１】
本発明は、使用済の注射針を取り外す注射針取り外し容器に関する。
【背景技術】
【０００２】
病院で医療従事者（例えば、医師や看護師など）により使用される注射器や、家庭で使用される注射器（所謂、自己注射用の注射器）が知られている。一般的に注射器は、円筒状の注射筒と、注射筒の先端に装着される注射針とを備える。注射針は、注射筒の先端に装着される部位であり注射筒よりも径の小さい略円筒状の針基と、この針基から突き出され人体の皮膚に刺さる部位である針管とを有している。なお、針管を注射針という場合もあるが、ここでは注射針とは針基と針管をあわせた部材を指す。
【０００３】
例えば、病院において不注意により医療従事者が使用済みの注射針で怪我をしてしまった場合、感染症にかかる恐れがある。そこで、怪我をしないように注射針を安全に廃棄する必要がある。同様に家庭で自己注射用の注射器を使用した場合、注射針を廃棄する必要があるが、注射針を注射管から取り外すときに視力の弱い高齢者などは細い針が良く見えず、例えば、自身の指などを指してしまい怪我をしてしまう恐れがあった。
【０００４】
こうした背景から、従来使用済みの注射器の注射針を安全に廃棄するための注射針廃棄用容器が知られている（例えば、特許文献１参照）。この注射針廃棄用容器は、使用済みの注射針を収容するための容器と、針基までが挿入可能な挿入孔と、この挿入孔から水平方向に延びる溝とが形成された蓋を備えており、この蓋の厚み方向の断面をみると、その厚みは、挿入孔の縁部は薄く、溝の縁部は挿入孔から離れるにつれて厚くなっていくテーパ形状を有している。
【０００５】
そして、注射針を処理する場合、針基が付いた状態のまま使用済みの注射針を挿入孔に挿入した後、注射器全体を溝に向かってスライドさせる。すると、溝の縁部のテーパ形状によって針基のつば状の部位が下方向に押圧されて、注射針全体が次第に注射筒から抜けていく。最終的には、注射針が注射筒から容器内に脱落し容器内に落ちるので、注射針に触れることなく容器に捨てることができる。
【先行技術文献】
【特許文献】
【０００６】
【特許文献１】特開２００３−２６００９４号公報
【発明の概要】
【発明が解決しようとする課題】
【０００７】
注射器には、注射筒と注射針とに互いに対応するネジ山とネジ溝がそれぞれ設けられ、互いに相対的に回転することで、注射筒に注射針を装着する（所謂、螺合される）タイプのものがある。
【０００８】
このように注射筒と注射針が螺合された注射器において、注射針を注射筒から取る場合には、螺合を解く（開放するともいう）必要があるが、上記した装置の構成では螺合を開放することは困難であった。
【０００９】
このような場合、自己注射用の注射器を使用した高齢者が注射針を捨てるためには、指で螺合を開放することが考えられるが、上記したように視力の弱い高齢者の場合、細い針が良く見えず、怪我をしてしまう可能性がある。
【００１０】
本発明は、上記課題の解決のためになされたものであり、注射筒と注射針とが螺合された注射器において、注射針を注射筒から安全に取り外すことに好適な注射針取り外し容器を提供することを目的とする。
【課題を解決するための手段】
【００１１】
上記の課題を解決すべく、本発明に係る注射針取り外し容器は、注射用の針を有する注射針部と、当該注射針部と螺合する保持部とを備える注射器から前記注射針部を取り外す注射針取り外し容器において、前記注射針取り外し容器が、少なくとも前記螺合状態の前記注射針部が挿入される貫通孔が一端側に配置され、前記保持部から取り外された前記注射針部を収容する箱状の収容部と、前記貫通孔内の第１の部位に設けられ、前記貫通孔に挿入された前記注射針部と接触して前記注射針部との相対的な回転によって前記螺合を開放する第１の螺合開放部と、前記第１の部位とは異なる前記貫通孔内の第２の部位に設けられ、前記注射針部との相対的な移動によって前記螺合を開放する第２の螺合開放部とを具備することを特徴とする。
【発明の効果】
【００１２】
本発明によれば、注射筒と注射針とが螺合された注射器において、注射針を注射筒から安全に取り外すことに好適な注射針取り外し容器を提供することができる。
【図面の簡単な説明】
【００１３】
【図１】第１の実施形態に係る注射針取り外し容器の斜視図である。
【図２Ａ】注射針取り外し容器を上から見た一部を示す平面図である。
【図２Ｂ】図２ＡのＡ−Ａ断面の一部と注射器の一部を示す概略図である。
【図２Ｃ】図２ＡのＢ−Ｂ断面の一部を示す一部断面図である。
【図３】第１の実施形態に係る注射針取り外し容器の使用方法を示す概略図である。
【図４】注射針取り外し容器の使用状態の一例を示す概略図である。
【図５】第２の実施形態に係る注射針取り外し容器の斜視図である。
【図６】図５のＡ−Ａ断面の一部と注射器の一部を示す概略図である。
【図７】第２の実施形態に係る注射針取り外し容器の使用方法を示す概略図である。
【図８】変形例１に係る注射針取り外し容器１ａの斜視図である。
【図９】注射針取り外し容器１ａの一部を拡大して示す斜視図である。
【図１０】廃棄用ロック機構４００の作用・効果を説明する図である。
【発明を実施するための形態】
【００１４】
（第１の実施形態）
【００１５】
以下、図面を参照して本発明の第１の実施形態を説明する。図１は、第１の実施形態に係る注射針取り外し容器の斜視図である。図２Ａは、注射針取り外し容器を上から見た一部を示す平面図である。図２Ｂは、図２ＡのＡ−Ａ断面の一部と注射器の一部を示す概略図である。図２Ｃは、図２Ａに示したＢ−Ｂ断面の一部を示す一部断面図である。図３は、第１の実施形態に係る注射針取り外し容器の使用方法を示す概略図である。なお、図３は、図２ＡのＢ−Ｂ断面の一部を示している。図４は、図２Ｂに対応しており第１の実施形態に係る注射針取り外し容器の使用状態の一例を示す概略図である。
【００１６】
各図には、それぞれ互いに直交するｘ、ｙ及びｚの座標軸が図示されている。これらの軸によって、例えば図１を基準として方向がわかるようになっている。例えば、図２Ａに示すように注射針取り外し容器１を上から平面視した場合、注射針取り外し容器１の長手方向をｘ軸の方向（横幅方向ともいう）、上下方向をｙ軸の方向（縦幅方向ともいう）、前後方向をｚ軸の方向（垂直方向ともいう）としている。ｚ軸の矢印が向かう方向は、この後説明する収容箱１０の底面に向かう方向（以下、底面方向ともいう）である。
【００１７】
また、図中の「○」の中に「×」が記載されたもの（例えば、図２Ａのｚ軸）は図面の表から裏に向かう矢印を意味する。図中の「○」の中に小さい黒丸「●」が記載されたもの（例えば、２Ｂのｘ軸）は図面の裏から表に向かう矢印を意味する。
【００１８】
図１に示すように、注射針取り外し容器１は、収容箱１０と、針取り部２０と、蓋３０とを具備している。注射針取り外し容器１は、例えば、自宅や病院などで使用される注射器５から後述する使用済みの注射針５２を安全に取り外し安全に廃棄することができる容器である。
【００１９】
注射器５は、円筒状の注射筒５１と、注射筒５１の先端部と螺合して着脱自在に装着される注射針５２とを少なくとも備える。
【００２０】
注射器５は、病院で医療従事者（例えば、医師や看護師など）により使用されるものから家庭で使用されるもの（所謂、自己注射用の注射器）まで様々なタイプが存在しているが、注射針取り外し容器１の処理対象となる注射器５のタイプは特に限定されない。ただしここでは、一例として注射器５は、自己注射用の注射器とする。なお自己注射としては、例えば、糖尿病患者自身によるインスリンの注射が知られている。
【００２１】
注射筒５１と注射針５２とは、互いに相対的に回転することによって螺合が解放され、さらに具体的は、注射筒５１が固定された状態で注射針５２が時計回りに回されるか、逆に注射針５２が固定された状態で注射筒５１が反時計回りに回されることによって螺合が解放される（以下、螺合が開放されることを「螺合開放」ともいう）。なお、注射筒５１と注射針５２とは、互いに相対的に回転することによって螺合が解放されることから、注射筒５１と注射針５２の両者を固定せずに相互に反対方向に回転させて螺合を解放することもできる。
【００２２】
注射筒５１の先端部の外周面には、螺合用の溝Ｇ１が形成されている。ここでは図示を省略したが、注射筒５１には、圧力によって薬液を注射針５２に送り込むための機構（所謂、ピストン）も設けられる。また、同様に図示を省略したが注射筒５１の先端側には、薬液が貯留される貯留部が設けられる。この先端部は、貯留された薬液が漏れ出すことを抑制するとともに注射針５２に薬液を供給するための海綿状部材（例えば、スポンジや不織布）Ｓによって塞がれている。
【００２３】
注射針５２は、注射筒５１の溝Ｇ１と螺合する溝Ｇ２が内壁に形成された略円筒状の針基５２１と、この針基５２１から突き出す針管５２２とを有している。なお、針管５２２のことを「注射針」という場合もあるが、ここでは一例として「注射針」とは針基５２１と針管５２２をあわせた部材を指す。
【００２４】
図２Ｂに示すように針基５２１の外壁面には、注射器５の長手方向に沿って延び、図２Ｂに示すように針基５２１を正面から平面視した場合の形状が略長方形状の複数の溝５２１ａが、互いに周方向に所定の間隔をあけて設けられている。すなわち、外壁面全体として周方向に沿って溝５２１ａによる凹部と、１の溝５２１ａとその隣の溝５２１ａに挟まれた凸部とが交互に連続的に配置される凹凸形状を有している。詳細は後述するが、この溝５２１ａによる凹凸形状によって針基５２１全体が歯車のように機能する。
【００２５】
針管５２２の注射筒５１側に向かう一端側（以下、筒側ともいう）は針基５２１内において注射筒５１に向かって突き出ており、図１に示した海綿状部材Ｓに刺さっている。
【００２６】
図１に示すように収容箱１０は箱体であり、内部は中空になっていて、上部は開口している。この開口には、針取り部２０が配置される。収容箱１０は、注射筒５１から取り外された注射針５２を収容する。
【００２７】
図２Ａに示すように針取り部２０は、本体部２１０、仕切り板２２０、突起群２３０及び爪部２４０を備える。針取り部２０は、これらの部位を備えることによって注射筒５１と注射針５２との螺合を開放することができる。針取り部２０による螺合開放の詳細については後述する。
【００２８】
図２Ｂ及び図２Ｃに示すように本体部２１０は、収容箱１０の開口に対して水平に延びる平板部２１１と、平板部２１１から収容箱１０の底面方向に突き出る壁部２１２により形成される貫通孔２１３を有する。
【００２９】
本体部２１０は、収容箱１０の開口部に配置される中蓋と称してもよく、平板部２１１によって収容箱１０の開口の少なくとも一部を覆う。
【００３０】
図２Ａに示すように貫通孔２１３は、互いに並行する一対の側部２１３ａ及び側部２１３ｂ（以下、たんに側部２１３ａ及び側部２１３ｂと称す）と、この側部２１３ａ及び側部２１３ａの端部同士を接続する弧状（ここでは円弧状）の一対の第１終端部２１３ｃ及び第２終端部２１３ｄ（以下、たんに第１終端部２１３ｃ及び第２終端部２１３ｄと称す）とを内壁面として有している。
【００３１】
仕切り板２２０は、図２Ａに示すように全体的に貫通孔２１３の第１終端部２１３ｃから第２終端部２１３ｄの手前まで延びており、図２Ｂ及び図２Ｃに示すように貫通孔２１３の最下部に位置している。
【００３２】
仕切り板２２０は、注射器５が貫通孔２１３に挿入された際に針基５２１と接触して注射器５を受け止めて、注射器５全体が、貫通孔２１３を通り抜けて注射針取り外し容器１内に落下してしまうことを防止する。
【００３３】
また、仕切り板２２０は、例えば、注射針取り外し容器１が倒れたり逆さまになってしまったりした場合に、注射針取り外し容器１内に収容された使用済みの注射針５２が、貫通孔２１３から外側に出てしまうことを効果的に抑制する。
【００３４】
仕切り板２２０の中央部には、第２終端部２１３ｄ側（以下、始端側ともいう）から始まり第１終端部２１３ｃの近傍まで延びる貫通溝２２０ａが形成されている。
【００３５】
貫通溝２２０ａは、貫通孔２１３と連通しており、始端側が解放されている。貫通溝２２０ａの縦幅（ｙ軸に沿う長さ）は、少なくとも針管５２２が挿通可能でありかつ針基５２１は挿通不可な長さに形成されている。貫通溝２２０ａは、針管５２２が螺合開放の邪魔にならないように針管５２２を逃がすために設けられる。
【００３６】
図２Ａに示すように、突起群２３０は、第１終端部２１３ｃの所定箇所から貫通孔２１３の側部２１３ｂの所定箇所かけて、互いに所定の間隔をあけながら配置され、かつ図２Ｂ及び図２Ｃに示すように一本一本が本体部２１０の高さ方向（ｚ軸に沿う方向）に延びる複数の棒状の部材の集まりである。
【００３７】
突起群２３０によって、該第１終端部２１３ｃの所定箇所から該側部２１３ｂの所定箇所に亘る部分は、突起群２３０の棒状部材による凸部と、１の棒状部材とその隣の棒状部材に挟まれた凹部とが交互に連続的に配置される凹凸形状を有している。
【００３８】
この凹凸形状は、上述した溝５２１ａによる針基５２１の外周面の凹凸形状と対応しており、突起群２３０が形成された上記の部位と針基５２１の外周面とは、ラック・アンド・ピニオンの関係になっている。
【００３９】
すなわち、使用者が注射筒５１を持って注射器５を注射筒５１の方から貫通孔２１３内に挿入すると、一方の一部の凸部の一部（例えば、突起群２３０の一部の棒状部材）が他方の一部の凹部（例えば、一部の溝５２１ａ）に入り込む。
【００４０】
この状態のとき、後述するように反時計回りに注射器５が回転されたり、貫通孔２１３に沿って移動されたりして、突起群２３０と注射針５２との間で相対的な移動が起こると、溝５２１ａ内の突起群２３０の棒状部材が、隣接する注射筒５１の凸部を注射針５２と注射筒５１との螺合が開放される方向に押圧する。この動作が連続することで、結果的に注射筒５１と注射針５２との間で相対的な回転が起こり螺合が解放される。
【００４１】
突起群２３０は、螺合開放のための機能（部位）によって第１の突起群２３０ａと第２の突起群２３０ｂの二つに区分される。
【００４２】
第１の突起群２３０ａは、螺合開放の動作をよりスムーズにするために、初めに注射筒５１と注射針５２との螺合をある程度緩める（すなわち螺合開放を開始する）ための部位であり、第２の突起群２３０ｂは、第１の突起群２３０ａによって緩められた螺合をさらに解放していく（すなわち、螺合開放を進行させる）部位である。
【００４３】
より具体的には、貫通孔２１３に挿入された注射器５には、軸力（張力ともいう）が強く働いており螺合の開放に大きな力を必要とし、軸力が強い状態では第２の突起群２３０ｂによる螺合開放の動作が困難になる可能性がある。
【００４４】
そこで、第２の突起群２３０ｂによる螺合開放の前段として、第１の突起群２３０ａによって注射筒５１と注射針５２との螺合をある程度緩め、その後第２の突起群２３０ｂがその緩められた螺合をさらに緩めていく。
【００４５】
なお、負荷がかかりやすい第１の突起群２３０ａの剛性を第２の突起群２３０ｂよりも高くすることが望ましい。剛性を高くするには、例えば、第１の突起群２３０ａをより肉厚に形成したり、より剛性の高い材料で形成したり、剛性を得やすい形状に形成したりすればよい。
【００４６】
第１の突起群２３０ａは、第１終端部２１３ｃを仮想的な円の円周の一部（例えば、半周）と仮定した場合、仮想円の中心角が略９０度以下となる範囲内にある突起群２３０である。ここでは、その一例として、貫通孔２１３の第１終端部２１３ｃの略中央部から始まり、側部２１３ｂに向かって第１終端部２１３ｃを半分回ったところまでの突起群２３０である。
【００４７】
第１の突起群２３０ａを第１終端部２１３ｃの全長に亘って設けると、注射針５２の溝５２１ａをロックしてしまい、注射器５を自由に動かせなくなってしまう恐れがあるので、第１の突起群２３０ａは、ロックしない程度に配置される。
【００４８】
第２の突起群２３０ｂは、突起群２３０の第１の突起群２３０ａ以外の部分である。ｂなお、第１の突起群２３０ａと第２の突起群２３０ｂとの区分は、この実施形態に限定されるものではなく、必要に応じて適宜変更してもよい。
【００４９】
図２Ｂに示すように、第１の突起群２３０ａ及び第２の突起群２３０ｂのうち、少なくとも第１の突起群２３０ａの端部（図２Ｂに示すように注射器５と対向する先端部）は、注射器５が貫通孔２１３に挿入された際に、溝５２１ａの先端部との抵抗を低減させるために丸みがつけられている。
【００５０】
爪部２４０は、図２Ａに示すように本体部２１０を上から平面視した場合、貫通孔２１３の側部２１３ａにおける仕切り板２２０の終端側の近くから始まり、第２終端部２１３ｄを経由して側部２１３ｂにおける仕切り板２２０の終端側の近くまで延びるつば状（フランジ状ともいう）の突起である。また、爪部２４０は、図２Ｂ及び図２Ｃに示すように、貫通孔２１３内の上部に位置している。
【００５１】
このように貫通孔２１３内には、一つの爪部２４０が形成されているが、爪部２４０を側部２１３ａに一つ、第２終端部２１３ｄに一つ、側部２１３ｂに一つ形成するなど、分割して設けてもよい。
【００５２】
図２Ｃに示すように爪部２４０の先端側の収容箱１０の底面に対向する面には、傾斜部２４０ａが形成される。図２Ｃでは、側部２１３ｂにおける爪部２４０のみ図示されているが、側部２１３ａにおける爪部２４０の先端側にも同様に傾斜部２４０ａが形成される。
【００５３】
詳細は後述するが、傾斜部２４０ａは、第２の突起群２３０ｂによる螺合解除によって生じる注射筒５１と注射針５２との隙間に入り込んで注射針５２を下方（収容箱１０の底面方向）に押圧し、注射針５２が注射筒５１から脱落しやすいようにアシストする。
【００５４】
したがって、傾斜部２４０ａは、第２終端部２１３ｄ側に向かうにつれて、収容箱１０の底面に近づくように傾斜している。
【００５５】
蓋３０は、図１に示すように係止部３１０及び貫通孔閉鎖部３２０を少なくとも備える。蓋３０は、収容箱１０及び針取り部２０を上から覆う。
【００５６】
係止部３１０は、蓋３０の端部の所定の箇所に設けられており、注射針取り外し容器１の未使用時に閉じられた蓋３０を収容箱１０又は針取り部２０に固定するために設けられる。収容箱１０又は針取り部２０には、この係止部３１０と対応する係止受部３１０ａが設けられる。
【００５７】
貫通孔閉鎖部３２０は、蓋３０が閉じられたときに、仕切り板２２０が形成されていない貫通孔２１３の部分に侵入する板状の部材である。貫通孔閉鎖部３２０は、蓋３０が閉じられたときに、貫通孔２１３を閉鎖して、注射針取り外し容器１が倒れたり逆さまになってしまったりした場合に、収容箱１０に収容された使用済みの注射針５２が、貫通孔２１３から外側に出てしまうことを効果的に抑制する。
【００５８】
以上のように構成された注射針取り外し容器１では、図３に示すように、注射器５を使い終わった使用者は、注射筒５１を持ったまま（把持ともいう）針管５２２を下にしながら、第１終端部２１３ｃ側から貫通孔２１３に注射器５を挿入する。挿入された注射器５は、仕切り板２２０によって受け止められ、また、針基５２１の溝５２１ａの一部は、第１の突起群２３０ａと噛み合う。
【００５９】
次に、使用者は、注射器５の長手方向（ｚ軸方向）を軸にして注射器５全体を反時計回りに回す。すると、第１の突起群２３０ａによって注射針５２の回転が止められつつ注射筒５１が反時計回りに回転する（すなわち、両者は相対的に回転する）。この結果、螺合が緩まる（螺合開放が開始される）。
【００６０】
この後使用者は、注射器５を第２終端部２１３ｄに向かって横幅方向（ｘ軸方向）に動かす。すると今度は、使用者の把持によって注射筒５１が固定されつつ第２の突起群２３０ｂによって注射針５２が時計方向に回転する（すなわち、両者は相対的に回転する）。この結果、螺合がさらに解放されていく。
【００６１】
螺合が解放されていく過程で、注射針５２及び注射筒５１の一方から他方が抜けていき、注射筒５１と注射針５２との間に隙間Ｃが徐々に形成されていく。
【００６２】
さらに注射器５が動かされると、形成された隙間Ｃに爪部２４０が入りこみ、傾斜部２４０ａによって注射針５２が収容箱１０の底面方向に押圧されて隙間Ｃが拡大していく。なお形成された隙間Ｃに爪部２４０が入りこむ時点、若しくは、その直前又は直後には螺合は解除済みにあることが望ましい。
【００６３】
形成された隙間Ｃに爪部２４０が入りこむときの注射器５と爪部２４０の位置関係を図２ＡのＡ−Ａ断面方向から見ると、図４に示すようになる。なお、図４では形成された隙間Ｃに、側部２１３ａにおける爪部２４０と、側部２１３ｂにおける爪部２４０の両方が入り込んでいるが、片方の爪部２４０が入り込めるのであれば、他方の爪部２４０は入らなくともよい。すなわち、図４に示すよりも爪部２４０間の距離は離れていてもよい。
【００６４】
最終的に注射器５が、第２終端部２１３ｄに接するまで、又は、第２終端部２１３ｄの手前まで動かされ、さらに上方向に引き抜かれるように動かされると、注射針５２は爪部２４０によって押さえつけられて注射筒５１だけが引き抜かれる。こうして注射筒５１と注射針５２が分離し、注射針５２は収容箱１０に落ちて収容される。
【００６５】
なお、注射器５を上方向に引き抜かなくとも、螺合が解除されたことにより、注射筒５１と注射針５２が自然に分離する場合もある。
【００６６】
以上説明したように、第１の実施形態の注射針取り外し容器１は、注射用の針（針管５２２）を有する注射針部（注射針５２）と、当該注射針部と螺合する保持部（注射筒５１）とを備える注射器（注射器５）から前記注射針部を取り外す注射針取り外し容器において、前記注射針取り外し容器が、少なくとも前記螺合状態の前記注射針部が挿入される貫通孔（貫通孔２１３）が一端側（収容箱１０の開口部側）に配置され、前記保持部から取り外された前記注射針部を収容する箱状の収容部（収容箱１０）と、前記貫通孔内の第１の部位（第１終端部２１３ｃ）に設けられ、前記貫通孔に挿入された前記注射針部と接触して前記注射針部との相対的な回転によって前記螺合を開放する第１の螺合開放部（第１の突起群２３０ａ）と、前記第１の部位とは異なる前記貫通孔内の第２の部位（側部２１３ｂ）に設けられ、前記注射針部との相対的な移動によって前記螺合を開放する第２の螺合開放部（第２の突起群２３０ｂ）とを具備することを特徴とする。
【００６７】
注射針取り外し容器１では、第２の突起群２３０ｂによる注射筒５１と注射針５２との螺合開放の動作をよりスムーズにするために、その前段として第１の突起群２３０ａによって、あらかじめ注射筒５１と注射針５２との螺合を緩め、その後、第２の突起群２３０ｂが螺合をさらに緩めて行く、この結果、注射筒５１と注射針５２との螺合が完全に開放される。最終的には、螺合が解除された注射針５２が、収容箱１０に落ちて収容される。
【００６８】
すなわち、注射針取り外し容器１では、注射筒５１と注射針５２との螺合を解除して、注射針５２を注射筒５１から取り外し、収容箱１０に収容することができる。この際、使用者は、注射筒５１を持って螺合解除の処理を行えばよく、注射針５２に触る必要が無いので、例えば、針管５２２によって怪我をおってしまうことを効果的に抑制でき安全である。
【００６９】
要するに、注射針取り外し容器１では、注射筒５１と注射針５２とが螺合された注射器５において、注射針５２を注射筒５１から安全に取り外すことができる。
【００７０】
また、注射針取り外し容器１は、貫通孔２１３に注射器５を挿入して移動させるだけでよいので、例えば高齢者、視力があまりよくない者、注射器５の取り扱いに慣れていない者などでも簡単に、安全に使用することができる。
【００７１】
第１の実施形態の注射針取り外し容器１は、第１の螺合開放部（第１の突起群２３０ａ）及び前記第２の螺合開放部（第２の突起群２３０ｂ）は、複数の棒状部材群から構成され、前記棒状部材群は、前記貫通孔（貫通孔２１３）内において互いに所定の間隔をあけて並んで配置されることを特徴とする。
【００７２】
この配置によって、第１の突起群２３０ａ，第２の突起群２３０ｂ、と針基５２１の溝５２１ａとはラック・アンド・ピニオンの関係になり、螺合を安定的に開放することが可能となる。
【００７３】
第１の実施形態の注射針取り外し容器１は、前記第１の部位（第１終端部２１３ｃ）及び前記第２の部位（側部２１３ｂの一部）とは異なる前記貫通孔内の第３の部位（第２終端部２１３ｄや、側部２１３ｂの他部や、側部２１３ａなど）に設けられ前記螺合開放中に生じる前記保持部（注射筒５１）と前記注射針部（注射針５２）との隙間Ｃに挿入される少なくとも１つの爪部（爪部２４０）をさらに具備することを特徴とする。
【００７４】
第１の実施形態の注射器５では、針管５２２の一端側が、針基５２１内において注射筒５１に向かって突き出ており、注射筒５１の先端側に配置された海綿状部材Ｓに刺さっている。この構成では、たんに螺合を開放しただけでは、針管５２２が海綿状部材Ｓから抜けずに注射筒５１と注射針５２とが分離しない可能性もある。
【００７５】
注射針取り外し容器１では、図３に示して説明したように、爪部２４０の押さえつけによって注射筒５１を注射針５２から引き抜くことができるので、仮に螺合を開放しただけでは針管５２２が海綿状部材Ｓから抜けずに注射筒５１と注射針５２とが分離しなかったとしても、最終的には、注射筒５１を注射針５２から引き抜いてこれらを分離することができる。すなわち、爪部２４０によって分離の確実性を向上させることができる。
【００７６】
第１の実施形態の注射針取り外し容器１は、前記爪部（爪部２４０）が、前記注射針部（注射針５２）又は前記保持部（注射筒５１）のどちらか一方を前記隙間Ｃが開く方向に押圧する押圧部（傾斜部２４０ａ）を備えることを特徴とする。
【００７７】
傾斜部２４０ａが注射針５２又は注射筒５１のどちらか一方を隙間Ｃが開く方向に押圧することによって、分離の確実性をさらに向上させることができる。
【００７８】
第１の実施形態の注射針取り外し容器１は、前記貫通孔（貫通孔２１３）と前記収容部（収容箱１０）とを一部仕切る仕切部（仕切り板２２０）をさらに具備することを特徴とする。
【００７９】
また、第１の実施形態の注射針取り外し容器１は、前記貫通孔（貫通孔２１３）を塞ぐ蓋体（蓋３０の貫通孔閉鎖部３２０）をさらに具備することを特徴とする。
【００８０】
貫通孔２１３と収容箱１０とを一部仕切ったり、貫通孔２１３を塞ぐことによって、例えば、注射針取り外し容器１が倒れたり逆さまになってしまったりした場合に、収容箱１０に収容された使用済みの注射針５２が、貫通孔２１３から外側に出てしまうことを効果的に抑制することができる。
【００８１】
（第２の実施形態）
本発明は、上記した構造や形状のものに限定されるものではなく、その要旨を逸脱しない限りにおいて適宜に設計変更して具体化できる。
【００８２】
本願の第２の実施形態に係る注射針取り外し容器２を図５〜図７に示す。図５は、第２の実施形態に係る注射針取り外し容器の斜視図である。図６は、図５のＡ−Ａ断面の一部と注射器の一部を示す概略図である。図７は、第２の実施形態に係る注射針取り外し容器の使用方法を示す概略図である。なお、図７は、図５のＢ−Ｂ断面の一部を示している。
【００８３】
以下の説明では、第１の実施形態に係る注射針取り外し容器１と対応する構成については、第１の実施形態と同一の符号をつけて必要な場合を除き説明を省略する。
【００８４】
注射針取り外し容器２は、この後説明する移動部２５０を備えることによって、螺合の開放の安定性を向上させることができる注射針廃棄用の容器である。
【００８５】
注射針取り外し容器２は、図５に示すように収容箱１０と、針取り部２０と、蓋３０、移動部２５０と、爪部２６０とを具備している。注射針取り外し容器２は、第１の実施形態の注射針取り外し容器１に比べると、全体的に略直方体状のスリムタイプになっており、蓋３０も収容箱１０の短辺に回転可能に設けられている。また、蓋３０には、移動部２５０の形状に対応する収容部３１が形成されている。このように、各部位の形状や取り付け方は適宜変更が可能である。
【００８６】
針取り部２０の本体部２１０には、一対の移動用溝２１４が設けられている。
【００８７】
一対の移動用溝２１４は、本体部２１０の表面２１０ａに設けられており、互いに貫通孔２１３を挟んで対向し、かつ、貫通孔２１３に並行している。一対の移動用溝２１４には、移動部２５０が一対の移動用溝２１４に沿って進退可能なように、かつ、貫通孔２１３を跨ぐように取り付けられる。
【００８８】
図６に示すように移動部２５０は、板状のベース部２５１と、このベース部２５１から突き出た略円筒状の胴体部２５２を備える。移動部２５０には、ベース部２５１及び胴体部２５２にかけて貫通し、貫通孔２１３に連通する貫通孔２５０ａが形成される。
【００８９】
ベース部２５１の両端部には、収容箱１０に向かって延びる一対の脚部２５３が設けられ、一対の移動用溝２１４にそれぞれ挿入されている。一対の脚部２５３の先端部は、一対の移動用溝２１４内部で広がっており、抜け止めとして機能する。
【００９０】
貫通孔２５０ａには、注射器５が挿入される。貫通孔２５０ａの縦幅（ｙ軸方向の長さ）は、貫通孔２１３よりも長く形成されており、また、注射器５の幅よりも長いため、使用者は貫通孔２５０ａに注射器５を容易に挿入することができる。
【００９１】
なおこの実施形態では、本体部２１０の貫通孔２１３の縁部は、貫通孔２１３内部に向かって下るように傾斜しており、貫通孔２５０ａに挿入された注射器５を貫通孔２１３内に案内するように構成されている（以下、この傾斜している部分を傾斜部２１０ｂと称す）。傾斜部２１０ｂによって貫通孔２１３の縁部に引っかかることなく、注射器５を貫通孔２１３にスムーズに挿入することができる。
【００９２】
図７に示すように、爪部２６０には、傾斜部２６０ａが形成されている。爪部２６０は、第１の実施形態の爪部２４０と対応し、傾斜部２６０ａは、傾斜部２４０ａの形成位置を異ならせた変形例である。
傾斜部２６０ａは、傾斜部２４０ａ（図３参照）と比較すると、傾斜部２４０ａとは逆方向に傾斜しており（すなわち、第２終端部２１３ｄ側に向かうにつれて収容箱１０の底面から遠ざかるように傾斜しており）、その形成位置も傾斜部２４０ａが爪部２４０の下面側（収容箱１０の図示しない底面と対向する面側）であるのに対し、傾斜部２６０ａは、爪部２６０の上面側（収容箱１０の底面とは反対側）に形成されている。
【００９３】
傾斜部２６０ａは、第２の突起群２３０ｂによる螺合解除によって生じる注射筒５１と注射針５２との隙間Ｃに入り込んで注射筒５１を上方（収容箱１０の底面とは逆方向）に押圧し、注射針５２が注射筒５１から脱落しやすいようにアシストする。
【００９４】
以上のように構成された注射針取り外し容器２では、図７に示すように、注射器５を使い終わった使用者は、移動部２５０を第１終端部２１３ｃにセットする。そして、注射筒５１を持ったまま針管５２２を下にしながら、移動部２５０の貫通孔２５０ａに注射器５を挿入する。挿入された注射器５は、移動部２５０を通って貫通孔２１３内に侵入する。貫通孔２１３内に侵入した注射器５は、仕切り板２２０によって受け止められ、また、針基５２１の溝５２１ａの一部は、第１の突起群２３０ａと噛み合う。
【００９５】
なお、移動部２５０には、貫通孔２５０ａの所定の場所に注射器５を受け止める受け止め部を設けてもよい。この場合、注射器５は、受け止め部に乗っかった状態で、針基５２１の溝５２１ａの一部は、第１の突起群２３０ａと噛み合う。受け止める受け止め部によって、針基５２１の溝５２１ａと第１の突起群２３０ａ及び第２の突起群２３０ｂを安定させることができる。
【００９６】
第１の実施形態と同様に、使用者により、注射筒５１と注射針５２との螺合が解放される方向に注射器５が回転されると、突起群２３０の第１の突起群２３０ａによって、注射筒５１と注射針５２との螺合が緩まる。
【００９７】
この後使用者により、注射器５ごと移動部２５０が第２終端部２１３ｄに向かって横幅方向（ｘ軸方向）動かされると、突起群２３０の第２の突起群２３０ｂによって注射筒５１と注射針５２との螺合がさらに解放されていく。
【００９８】
そして、螺合が解放されていく過程で形成された隙間Ｃに爪部２６０が入りこみ、傾斜部２６０ａによって注射針５２が上方（収容箱１０の底面とは逆方向）に押圧されて隙間が拡大していく。
【００９９】
最終的に注射器５ごと移動部２５０が、第２終端部２１３ｄに接するまで、または第２終端部２１３ｄの手前まで動かされたのち、注射器５が上方向に引き抜かれるように動かされると、注射針５２は爪部２６０によって押さえつけられて注射筒５１だけが引き抜かれる。こうして注射筒５１と注射針５２が分離し、注射針５２は収容箱１０に落ちて収容される。
【０１００】
第２の実施形態の注射針取り外し容器２は、前記貫通孔（貫通孔２１３）上に設けられ、該貫通孔に連通しかつ前記注射器（注射器５）が挿入される第２の貫通孔（貫通孔２５０ａ）を有し、前記貫通孔（貫通孔２１３）に沿って進退する移動部（移動部２５０）をさらに具備することを特徴とする。
【０１０１】
移動部２５０を備えることによって、使用者は、注射器５を貫通孔２１３のどのあたりに挿入すればよいのかを意識しなくともよくなり、注射針取り外し容器１の利便性が向上する。
【０１０２】
また、移動部２５０を備えることによって、使用者は、注射器５を垂直に容易に保ったまま貫通孔２１３内を移動させることができる。注射器５を垂直に保つことは、第１の突起群２３０ａと第２の突起群２３０ｂとの接触性を安定させることに繋がる。接触性が安定することで注射器５の貫通孔２１３内の移動をスムーズに行うことができ、螺合開放をスムーズに行うことができる。
【０１０３】
また、移動部２５０を備えることによって、第１の突起群２３０ａと第２の突起群２３０ｂの接触位置（第１の突起群２３０ａと第２の突起群２３０ｂとの距離）を適正に保つことができる。このことによっても、注射器５の貫通孔２１３内の移動をスムーズに行うことができ、螺合開放をスムーズに行うことができる。
【０１０４】
（変形例１）
本願発明は、上記の各実施形態に限定されず様々な変形・変更が可能である。例えば、使用済みの注射針５２を注射針取り外し容器１ごと廃棄するときに利用される廃棄用ロック機構を注射針取り外し容器１が備えてもよい。以下図８〜図１０を参照して変形例１に係り廃棄用ロック機構を備える注射針取り外し容器１ａについて説明する。なお、以下の説明では、第１の実施形態及び第２の実施形態と対応する構成には同一の符号を付して詳細な説明を省略する。
【０１０５】
まず図８〜図９を参照して、変形例１に係る注射針取り外し容器１ａの構成を説明する。図８は、変形例１に係る注射針取り外し容器１ａの斜視図である。図９は、注射針取り外し容器１ａの一部を拡大して示す斜視図である。より具体的には、図９（ａ）は、収容箱１０の係止用切欠部４１０を拡大して示す斜視図であり、図９（ｂ）は、蓋３０の係止板４２０を拡大して示す斜視図である。
【０１０６】
なお、係止用切欠部４１０は、図８に示すように収容箱１０の両側の短辺部１０ａに１つずつ形成されているが、図９（ａ）ではそのうちの手前側の係止用切欠部４１０を図示している。同様に、係止板４２０も蓋３０の両側の短辺部３０ａに１つずつ形成されているが、図９（ｂ）ではそのうちの手前側の係止板４２０を図示している。
【０１０７】
図８に示すように、注射針取り外し容器１ａの収容箱１０及び蓋３０には、廃棄用ロック機構４００として機能する係止用切欠部４１０及び係止板４２０がそれぞれ形成されている。
【０１０８】
係止用切欠部４１０は、図９（ａ）に示すように収容箱１０の短辺部１０ａに設けられており、空間４１１内に、抜止め突起４１２とこの抜止め突起４１２を挟んで互いに対向する一対の係止爪４１３とが配置されている。
【０１０９】
一対の係止爪４１３は、ｙ軸方向に延びる第１の側面４１３ａと、抜止め突起４１２から離れるように第１の側面４１３aから斜めに延びる第２の側面４１３ｂを備えている。
【０１１０】
図９（ｂ）に示すように、係止板４２０は、蓋３０を閉めたときに係止用切欠部４１０まで届くように一部を突出させて短辺部３０ａに形成されている。
【０１１１】
係止板４２０には、収容箱１０の抜止め突起４１２が挿入される貫通孔４２０ａが形成される。
【０１１２】
蓋３０の係止板４２０の両端側に接する一部は、係止板４２０の厚みと同等かそれ以下となるように肉厚が薄く形成されており、かつこの一部には貫通孔３０ｃが形成されている（以下、この蓋３０の一部を薄肉部３０ｂと称す。）
【０１１３】
次に図１０を参照して廃棄用ロック機構４００の作用・効果について説明する。図１０は、廃棄用ロック機構４００の作用・効果を説明する図である。より具体的には図１０（ａ）は、蓋３０が閉められた注射針取り外し容器１の一部断面図である。図１０（ｂ）は、係止用切欠部４１０及び係止板４２０をz軸方向から平面視した一部拡大図である。図１０（ｃ）は、図１０（ｂ）に示した係止板４２０の移動後の様子を示す一部拡大図である。
【０１１４】
使用者は通常使う範囲で注射針取り外し容器１ａを搬送するときには、図８に示した係止部３１０及び係止受部３１０ａを使用して蓋３０を収容箱１０に固定するが、注射針取り外し容器１ａを廃棄する場合、廃棄用ロック機構４００を使用して蓋３０を収容箱１０に固定する。
【０１１５】
このとき、図１０（ａ）に示すように、使用者（廃棄者）はまず蓋３０を閉め、その後係止板４２０をｘ軸方向に押し込む。すると、係止板４２０は、係止板４２０の基部４２０ｂを中心としてｘ軸に沿って回転する（以下、たんに「移動する」という）。
【０１１６】
図１０（ｂ）に示すように係止板４２０を押し込む前の状態では、係止板４２０の移動方向には一対の係止爪４１３があり、移動に対する抵抗となる。係止板４２０を可とう性を備える樹脂（例えば、プラスチック）で形成することで、係止板４２０は一対の係止爪４１３との接触部が変形しながらも移動し、図１０（ｃ）に示すように一対の係止爪４１３を乗り越える。なお、係止板４２０が移動するときに、図９ｂに示した蓋３０の薄肉部３０ｂが、ちぎれるか又は係止板４２０に追従して変形することで、係止板４２０の可動域が広がって、一対の係止爪４１３を乗り越えるのに好適な状態になる。
【０１１７】
係止板４２０が一対の係止爪４１３を乗り越える際、貫通孔４２０ａに抜止め突起４１２が挿入される。貫通孔４２０ａに抜止め突起４１２が挿入されることによって、蓋３０が開かれる方向に力が加わったとしても図１０（ａ）に示すように抜止め突起４１２が係止板４２０と接触するので蓋３０が開いてしまうことがない。
【０１１８】
一対の係止爪４１３を乗り越えた先の空間４１１は、一対の係止爪４１３の第２の側面４１３ｂによって狭くなっており、移動後の係止板４２０は、一対の係止爪４１３の第２の側面４１３ｂに接触することで係止される。係止板４２０が図１０（ｃ）に示す状態から図１０（ｂ）に示す状態に戻ってしまうような力が働いたとしても、一対の係止爪４１３が抵抗となって、状態が戻ってしまうようなことが好適に抑制される。
【０１１９】
このことによって、蓋３０が収容箱１０にしっかりとロックされ、注射針取り外し容器１ａの搬送中に、例えば蓋３０が開いてしまい、使用済みの注射針５２が注射針取り外し容器１の外に出てしまうようなことを好適に抑制することができる。したがって、注射針取り外し容器１ａの廃棄時の安全性を好適に向上させることができる。
【０１２０】
（その他の変形例）
本願発明は、上記の各実施形態や変形例１に限定されずさらに様々な変形・変更が可能である。例えば、上記の各実施形態の各構成を適宜組み合わせたり、幾つかの構成を除外したりしてもよい。
【０１２１】
例えば、上記の注射針５２とは、螺合を開放する方向が逆の（所謂、逆ネジの構造）の注射器の螺合を開放可能なように注射針取り外し容器１や注射針取り外し容器２を構成してもよい。より具体的には、例えば図２Ａに示すように、注射針取り外し容器を上から平面視した場合において、突起群２３０の形成箇所を仮想線Ｂ-Ｂを軸に反転させて、第２の突起群２３０ｂを貫通孔２１３の側部２１３ａに設け、これに対応させて第１の突起群２３０ａを第１終端部２１３ｃから側部２１３ａに向かうように配置してもよい（注射針取り外し容器２も同様）。
【０１２２】
また、上記の各実施形態では、第１の突起群２３０ａと第２の突起群２３０ｂを棒状の部材としたが、針基５２１を回転可能であれば、突起状に限定されず、例えば平坦な板状のゴムなどを用いてもよい。この場合、ゴムの平坦面と針基５２１との間に働く摩擦力によって針基５２１を回転させて、注射筒５１との螺合を解除する。もちろん、針基５２１を回転させる材質はゴムに限定されるものではない。
【産業上の利用可能性】
【０１２３】
以上のように、本発明は注射筒と注射針とが螺合された注射器において、注射針を注射筒から安全に取り外すことに好適な注射針取り外し容器を提供することができる。
【符号の説明】
【０１２４】
１        ：注射針取り外し容器
１ａ      ：注射針取り外し容器
２        ：注射針取り外し容器
５        ：注射器
１０      ：収容箱
１０ａ    ：短辺部
２０      ：針取り部
３０      ：蓋
３０ａ    ：短辺部
３０ｂ    ：薄肉部
３０ｃ    ：貫通孔
３１      ：収容部
５１      ：注射筒
５２      ：注射針
２１０    ：本体部
２１０ａ  ：表面
２１０ｂ  ：傾斜部
２１１    ：平板部
２１２    ：壁部
２１３    ：貫通孔
２１３ａ  ：側部
２１３ｂ  ：側部
２１３ｃ  ：第１終端部
２１３ｄ  ：第２終端部
２１４    ：移動用溝
２２０    ：仕切り板
２２０ａ  ：貫通溝
２３０    ：突起群
２３０ａ  ：第１の突起群
２３０ｂ  ：第２の突起群
２４０    ：爪部
２４０ａ  ：傾斜部
２５０    ：移動部
２５０ａ  ：貫通孔
２５１    ：ベース部
２５２    ：胴体部
２５３    ：脚部
２６０    ：爪部
２６０ａ  ：傾斜部
３１０    ：係止部
３１０ａ  ：係止受部
３２０    ：貫通孔閉鎖部
４００    ：廃棄用ロック機構
４１０    ：係止用切欠部
４１１    ：空間
４１２    ：抜止め突起
４１３    ：係止爪
４１３ａ  ：第１の側面
４１３a  ：第１の側面
４１３ｂ  ：第２の側面
４２０    ：係止板
４２０ａ  ：貫通孔
４２０ｂ  ：基部
５２１    ：針基
５２１ａ  ：溝
５２２    ：針管
Ｃ        ：隙間
Ｇ１      ：溝
Ｇ２      ：溝
Ｓ        ：海綿状部材
【図１】
2020092984.tif 000003
【図２Ａ】
2020092984.tif 000004
【図２Ｂ】
2020092984.tif 000005
【図２Ｃ】
2020092984.tif 000006
【図３】
2020092984.tif 000007
【図４】
2020092984.tif 000008
【図５】
2020092984.tif 000009
【図６】
2020092984.tif 000010
【図７】
2020092984.tif 000011
【図８】
2020092984.tif 000012
【図９】
2020092984.tif 000013
【図１０】
2020092984.tif 000014
【手続補正書】
【提出日】平成31年3月2日(2019.3.2)
【手続補正１】
【補正対象書類名】特許請求の範囲
【補正対象項目名】全文
【補正方法】変更
【補正の内容】
【特許請求の範囲】
【請求項１】
注射針を有する注射針部と、前記注射針部と螺合して螺合状態を構成する保持部及び貯留された薬液が漏れ出すことを抑制する海綿状部材とを先端部に有する注射筒とを備え、前記注射針の前記注射筒側に向かう一端側が、前記海綿状部材に刺さった注射器から前記注射針部を取り外す注射針取り外し容器において、
前記注射針取り外し容器が、
少なくとも前記螺合状態の前記注射針部が挿入される貫通孔が一端側に配置され、前記保持部から取り外された前記注射針部を収容する箱状の収容部と、
前記貫通孔内の第１の部位に設けられ、前記貫通孔に挿入された前記注射針部と接触して前記注射針部との相対的な回転によって前記螺合状態を開放する第１の螺合開放部と、
前記第１の部位とは異なる前記貫通孔内の第２の部位に設けられ、前記注射針部との相対的な移動によって前記螺合状態を開放する第２の螺合開放部と、
前記第１の部位及び前記第２の部位とは異なる前記貫通孔内の第３の部位に設けられ、前記第２の螺合開放部によって前記螺合状態を開放した際に生じる前記保持部と前記注射針部との隙間に挿入される少なくとも１つの爪部と、
を具備することを特徴とする注射針取り外し容器。
【請求項２】
前記爪部が、前記注射針部又は前記保持部のどちらか一方を前記隙間が開く方向に押圧する押圧部を備えることを特徴とする請求項１に記載の注射針取り外し容器。
【請求項３】
前記貫通孔を塞ぐ蓋体をさらに備え、
前記貫通孔の前記第１の部位及び前記第２の部位には、前記貫通孔と前記収容部とを一部仕切る仕切部が設けられ、前記貫通孔の前記第３の部位には、前記仕切部が設けられておらず、
前記蓋体は、
前記貫通孔を塞いだ状態で、前記仕切部が設けられていない前記貫通孔の前記第３の部位に侵入し、前記収容部に収容された注射針の飛び出しを防止する貫通孔閉鎖部を有することを特徴とする請求項１又は請求項２に記載の注射針取り外し容器。
【請求項４】
前記蓋体を前記収容部に係止する係止機構をさらに備え、
前記係止機構は、
前記収容部側に設けられた抜止め突起、及び前記抜止め突起を挟んで対向する位置に設けられた一対の係止爪を有する係止用切欠部と、
前記蓋体側に設けられ、前記抜止め突起が挿入される貫通孔が形成された係止板と、で構成されることを特徴とする請求項３に記載の注射針取り外し容器。
【請求項５】
前記第１の螺合開放部及び前記第２の螺合開放部は、複数の棒状部材群から構成され、前記棒状部材群は、前記貫通孔内において互いに所定の間隔をあけて並んで配置されることを特徴とする請求項１乃至請求項４のいずれかに記載の注射針取り外し容器。
【請求項６】
前記貫通孔上に設けられ、該貫通孔に連通しかつ前記注射器が挿入される第２の貫通孔を有し、前記貫通孔に沿って進退する移動部をさらに具備することを特徴とする請求項１ないし請求項５のいずれかに記載の注射針取り外し容器。
【手続補正書】
【提出日】平成31年4月25日(2019.4.25)
【手続補正１】
【補正対象書類名】特許請求の範囲
【補正対象項目名】全文
【補正方法】変更
【補正の内容】
【特許請求の範囲】
【請求項１】
注射針を有する注射針部と、前記注射針部と螺合して螺合状態を構成する保持部及び貯留された薬液が漏れ出すことを抑制する海綿状部材とを先端部に有する注射筒とを備え、前記注射針の前記注射筒側に向かう一端側が、前記海綿状部材に刺さった注射器から前記注射針部を取り外す注射針取り外し容器において、
前記注射針取り外し容器が、
少なくとも前記螺合状態の前記注射針部が挿入される貫通孔が一端側に配置され、前記保持部から取り外された前記注射針部を収容する箱状の収容部と、
前記貫通孔内の第１の部位に設けられ、前記貫通孔に挿入された前記注射針部と接触して前記注射針部との相対的な回転によって前記螺合状態を開放する第１の螺合開放部と、
前記第１の部位とは異なる前記貫通孔内の第２の部位に設けられ、前記注射針部との相対的な移動によって前記螺合状態を開放する第２の螺合開放部と、
前記第１の部位及び前記第２の部位とは異なる前記貫通孔内の第３の部位に設けられ、前記第２の螺合開放部によって前記螺合状態を開放した際に生じる前記保持部と前記注射針部との隙間に挿入される少なくとも１つの爪部と、
前記貫通孔を塞ぐ蓋体と、を備え、
前記貫通孔の前記第１の部位及び前記第２の部位には、前記貫通孔と前記収容部とを一部仕切る仕切部が設けられ、前記貫通孔の前記第３の部位には、前記仕切部が設けられておらず、
前記蓋体は、
前記貫通孔を塞いだ状態で、前記仕切部が設けられていない前記貫通孔の前記第３の部位に侵入し、前記収容部に収容された注射針の飛び出しを防止する貫通孔閉鎖部を有することを特徴とする注射針取り外し容器。
【請求項２】
前記爪部が、前記注射針部又は前記保持部のどちらか一方を前記隙間が開く方向に押圧する押圧部を備えることを特徴とする請求項１に記載の注射針取り外し容器。
【請求項３】
前記蓋体を前記収容部に係止する係止機構をさらに備え、
前記係止機構は、
前記収容部側に設けられた抜止め突起、及び前記抜止め突起を挟んで対向する位置に設けられた一対の係止爪を有する係止用切欠部と、
前記蓋体側に設けられ、前記抜止め突起が挿入される貫通孔が形成された係止板と、で構成されることを特徴とする請求項１又は請求項２に記載の注射針取り外し容器。
【請求項４】
前記第１の螺合開放部及び前記第２の螺合開放部は、複数の棒状部材群から構成され、前記棒状部材群は、前記貫通孔内において互いに所定の間隔をあけて並んで配置されることを特徴とする請求項１乃至請求項３のいずれかに記載の注射針取り外し容器。
【請求項５】
前記貫通孔上に設けられ、該貫通孔に連通しかつ前記注射器が挿入される第２の貫通孔を有し、前記貫通孔に沿って進退する移動部をさらに具備することを特徴とする請求項１乃至請求項４のいずれかに記載の注射針取り外し容器。